(57)【要約】【課題】操作感がよく、かつ、誤操作を防止でき、構造の簡素化や省スペース化が図れる車両用操作装置を提供する。【解決手段】車両用操作装置１００は、タッチパネル部２と、タッチパネル部２の周囲を囲むように配置され、回転可能なダイヤル操作部３とを備えている。例えば、タッチパネル部２により、風量調節と温度調節とを選択し、その選択された操作をダイヤル操作部３により操作する。これにより、車両用操作装置１００は、操作感がよく、かつ、誤操作を防止でき、構造の簡素化や省スペース化が図れる。【選択図】図１
2015093493.tif 000002
【特許請求の範囲】
【請求項１】
タッチパネル部と、
前記タッチパネル部の周囲を囲むように配置され、回転可能なダイヤル操作部と、
を備えた車両用操作装置。
【請求項２】
請求項１に記載の車両用操作装置において、
前記タッチパネル部による選択内容に基づいて、前記ダイヤル操作部を用いて操作を行う操作内容を選択するように制御を行う制御部を有すること、
を特徴とする車両用操作装置。
【発明の詳細な説明】
【技術分野】
【０００１】
本発明は、車両のエアコンやオーディオ等の各種機器の操作に用いられる車両用操作装置に関するものである。
【背景技術】
【０００２】
従来、車両のエアコン装置の操作を行うために、例えば、風量調節スイッチと温度調節スイッチとがそれぞれについて個別に操作部として設けられている。
【０００３】
また、近年、各種操作部をタッチパネルにより構成し、多様な操作をタッチパネルのみで行うことができるようになっている。これにより、多数の操作部材を設ける必要がなく、構造の簡素化や省スペース化を図ることが可能である。
【０００４】
また、タッチパネルとハードキー（物理的な操作部材）とを備え、そのどちらの操作でも選択項目の選択が可能とする車載機器の操作装置が特許文献１に開示されている。
【先行技術文献】
【特許文献】
【０００５】
【特許文献１】特開２００８−１４６４５４号公報
【発明の概要】
【発明が解決しようとする課題】
【０００６】
しかし、全ての操作をタッチパネルにより行うことが可能であると、不意に手が触れてしまう場合等に、意図しない誤操作が行われてしまうおそれがあった。また、風量や温度の操作といった可変量の操作は、物理的な操作部材により操作する方が、タッチパネルを用いるよりも操作感がよく、操作がやりやすいと感じる利用者も多い。
【０００７】
本発明は、操作感がよく、かつ、誤操作を防止でき、構造の簡素化や省スペース化が図れる車両用操作装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
【０００９】
請求項１の発明は、タッチパネル部（２）と、前記タッチパネル部の周囲を囲むように配置され、回転可能なダイヤル操作部（３）と、を備えた車両用操作装置（１００）である。
【００１０】
請求項２の発明は、請求項１に記載の車両用操作装置において、前記タッチパネル部（２）による選択内容に基づいて、前記ダイヤル操作部（３）を用いて操作を行う操作内容を選択するように制御を行う制御部（６）を有すること、を特徴とする車両用操作装置（１００）である。
【発明の効果】
【００１１】
本発明によれば、以下の効果を奏することができる。
【００１２】
（１）請求項１の発明によれば、車両用操作装置は、タッチパネル部と、タッチパネル部の周囲を囲むように配置され、回転可能なダイヤル操作部とを備えている。よって、車両用操作装置は、操作感がよく、かつ、誤操作を防止でき、構造の簡素化や省スペース化が図れる。
【００１３】
（２）請求項２の発明によれば、車両用操作装置は、タッチパネル部による選択内容に基づいて、ダイヤル操作部を用いて操作を行う操作内容を選択するように制御を行う制御部を有する。よって、タッチパネル部２により選択した操作内容を、その周りに配置されたダイヤル操作部３により即座に操作可能であり、誤操作をすることなく、簡単に操作を行うことができる。
【図面の簡単な説明】
【００１４】
【図１】本発明による車両用操作装置１００の実施形態を示す概略斜視図である。
【図２】本実施形態の車両用操作装置１００の内部構成を示す概略ブロック図である。
【発明を実施するための形態】
【００１５】
以下、本発明を実施するための最良の形態について図面等を参照して説明する。
【００１６】
（実施形態）
図１は、本発明による車両用操作装置１００の実施形態を示す概略斜視図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００１７】
本実施形態の車両用操作装置１００は、車両の空調機器の操作に用いられるものであり、筐体１と、タッチパネル部２と、ダイヤル操作部３とを備えている。
【００１８】
筐体１は、箱形状に形成されており、タッチパネル部２と、ダイヤル操作部３とを支持するベース部として機能している。また、筐体１の側面には、車両に対して取り付けるための不図示の取り付け形状やビス穴等が形成されている。車両用操作装置１００が車両に取り付けられた状態では、筐体１は、その正面を除き、車両の内装部材により覆われるようになる。
【００１９】
タッチパネル部２は、後述するダイヤル操作部３に囲まれた領域に配置されている。タッチパネル部２には、例えば、液晶表示装置とタッチセンサとが重ねて配置されている。利用者が、液晶表示装置に表示されたアイコン等の位置を指でタッチすると、その位置を利用者がタッチしたことをタッチセンサが検出する。
本実施形態のタッチパネル部２は、空調機器５００の操作内容（操作対象）を選択するためのアイコンを表示する。本実施形態のタッチパネル部２により選択可能な操作内容は、風量調節と、温度調節とである。タッチパネル部２には、これら操作内容に対応したアイコン２ａ及び２ｂが表示されている。
風量調節及び温度調節について、利用者は、タッチパネル部２へのタッチにより操作対象として風量調節、又は、温度調節を選択した後、ダイヤル操作部３によって、実際の風量、又は、温度の調節操作を行う。
【００２０】
アイコン２ａは、風量調節を行うときにタッチするためのアイコンである。アイコン２ａには、現在の風量を表す数字が表示されている。アイコン２ａをタッチすると、後述のダイヤル操作部３による操作が可能となり、ダイヤル操作部３による操作内容に応じて、風量が変化し、かつ、現在の風量を表す数字も変化する。
【００２１】
アイコン２ｂは、温度調節を行うときにタッチするためのアイコンである。アイコン２ｂには、現在の設定温度を表す数字が表示されている。アイコン２ｂをタッチすると、後述のダイヤル操作部３による操作が可能となり、ダイヤル操作部３による操作内容に応じて、設定温度が変化し、かつ、現在の設定温度を表す数字も変化する。
【００２２】
なお、上述したタッチパネル部２により操作可能な内容やアイコンの構成は、一例であり、適宜変更してもよい。
【００２３】
ダイヤル操作部３は、タッチパネル部２の周囲を囲むように配置されており、回転操作が可能となっている。なお、ダイヤル操作部３が回転しても、タッチパネル部２が回転することのないように、タッチパネル部２は、固定されている。
【００２４】
図２は、本実施形態の車両用操作装置１００の内部構成を示す概略ブロック図である。
制御部６は、タッチパネル制御部４を介してタッチパネル部２と接続されている。また、ダイヤル操作部３の回転操作は、ロータリーエンコーダ５により検出されて、制御部６へ伝えられる。
【００２５】
制御部６は、タッチパネル部２及びダイヤル操作部３を用いた利用者による操作内容に応じて、空調機器５００に対して制御の内容を伝える。具体的には、制御部６は、タッチパネル部２による選択内容に基づいて、ダイヤル操作部３を用いて操作を行う操作内容を選択するように制御を行い、ダイヤル操作部３の回転方向、及び、操作量に基づいて、空調機器５００に対して制御の内容を伝える。
【００２６】
例えば、利用者がタッチパネル部２のアイコン２ａをタッチすると、制御部６は、ダイヤル操作部３を用いて操作を行う操作内容を風量調節として選択する。そして、その後に利用者がダイヤル操作部３を回転させると、その回転方向及び回転量の情報に基づいて、空調機器５００に対して風量調節の制御内容を伝える。利用者がダイヤル操作部３を右方向に回転させると、制御部６は、風量を増加させ、利用者がダイヤル操作部３を左方向に回転させると、制御部６は、風量を減少させる。また、変更された風量は、アイコン２ａの文字表示を変更させることにより、利用者が視認可能とする。
【００２７】
また、利用者がタッチパネル部２のアイコン２ｂをタッチすると、制御部６は、ダイヤル操作部３を用いて操作を行う操作内容を温度調節として選択する。そして、その後に利用者がダイヤル操作部３を回転させると、その回転方向及び回転量の情報に基づいて、空調機器５００に対して温度調節の制御内容を伝える。利用者がダイヤル操作部３を右方向に回転させると、制御部６は、設定温度を増加させ、利用者がダイヤル操作部３を左方向に回転させると、制御部６は、設定温度を減少させる。また、変更された設定温度は、アイコン２ｂの文字表示を変更させることにより、利用者が視認可能とする。
【００２８】
以上説明したように、本実施形態によれば、タッチパネル部２の周囲を囲むようにダイヤル操作部３が配置されているので、利用者は、操作を行う手を殆ど移動させることなく、複数の操作を簡単に行うことができ、誤操作を防止できる。
また、ダイヤル操作部３は、風量調節と温度調節とに共通して利用可能であることから、別々に操作部を設ける必要がなく、複数の操作を１つのダイヤル操作部により操作可能である。よって、空調操作に必要な操作部の構造を簡素化でき、省スペース化が図れる。また、ダイヤル操作部３は、共通のものを１つだけ設ければよいので、複数設ける場合と比べて、操作しやすい場所に操作しやすい大きさとして設けることが可能となる。
また、ダイヤル操作部３は、可変量の操作において一般的に操作感が良好であることから、利用者は、風量調節及び温度調節を良好な操作感により操作を行える。
【００２９】
（変形形態）
以上説明した実施形態に限定されることなく、種々の変形や変更が可能であって、それらも本発明の範囲内である。
【００３０】
（１）実施形態において、制御部６は、筐体１内に内蔵されている例を挙げて説明した。これに限らず、例えば、制御部６の機能を、空調機器５００内に設けてもよい。
【００３１】
（２）実施形態において、選択された操作内容に応じて、ダイヤル操作部３の回転操作に対するクリック感を変更するようにしてもよい。
【００３２】
（３）実施形態において、車両用操作装置１００は、空調機器５００の操作を行うものである例を挙げて説明した。これに限らず、例えば、オーディオ機器やカーナビゲーション機器等、他の機器の操作に本発明の車両用操作装置を適用してもよい。
【００３３】
（４）実施形態において、タッチパネル部２には、２つのアイコンを表示する例を挙げて説明した。これに限らず、例えば、タッチパネル部２は、３つ以上のアイコンを表示可能な大きさとして、より多くの機能を選択可能としてもよい。
【００３４】
（５）ダイヤル操作部３を操作中は、タッチパネル部２への操作入力を制御部６が受け付けないようにしてもよい。このようにすることで、ダイヤル操作部３を操作中のタッチパネル部２に対する誤操作を防止することができる。
【００３５】
（６）ダイヤル操作部３の先端面からタッチパネル部２を一段低く構成してもよい。このようにすることで、ダイヤル操作部３を操作中におけるタッチパネル部２への接触による誤操作を防止することができる。
【００３６】
なお、各実施形態及び変形形態は、適宜組み合わせて用いることもできるが、詳細な説明は省略する。また、本発明は以上説明した各実施形態によって限定されることはない。
【符号の説明】
【００３７】
１      筐体
２      タッチパネル部
２ａ，２ｂ  アイコン
３      ダイヤル操作部
４      タッチパネル制御部
５      ロータリーエンコーダ
６      制御部
１００  車両用操作装置
５００  空調機器
【図１】
2015093493.tif 000003
【図２】
2015093493.tif 000004